(57)【要約】【課題】  生き餌に近いリアリティのある動きを生じさせるルアーを提供する。【解決手段】  先端側に半球状の頭部ｈを有し後端側が徐々に縮径されるように軸線ＡＸ方向に延びる流線型のルアー本体１０と、ルアー本体１０の後部に設けられたフィン２０とを備え、ルアー本体１０は、軸線ＡＸに沿って形成され先端側が開口する収容部１２ａを有する胴体１２と、収容部１２ａの開口を密閉するように胴体１２に着脱自在に装着される蓋体１４とを備え、収容部１２ａに１または複数の錘部材３０を収容できるように構成されており、フィン２０は、軸線ＡＸと直交する回動軸２２を中心に回動可能に支持されているルアー１。【選択図】  図２
0003169226.tif 000002
【実用新案登録請求の範囲】
【請求項１】
先端側に半球状の頭部を有し後端側が徐々に縮径されるように軸線方向に延びる流線型のルアー本体と、
前記ルアー本体の後部に設けられたフィンとを備え、
前記ルアー本体は、前記軸線に沿って形成され先端側が開口する収容部を有する胴体と、前記収容部の開口を密閉するように前記胴体に着脱自在に装着される蓋体とを備え、前記収容部に１または複数の錘部材を収容できるように構成されており、
前記フィンは、前記軸線と直交する回動軸を中心に回動可能に支持されているルアー。
【請求項２】
前記ルアー本体の軸線方向長さの、前記頭部の直径に対する比が、４〜５の範囲にある請求項１に記載のルアー。
【請求項３】
前記蓋体は、前記頭部の全体を含むように形成され、前記胴体に装着された状態で前記収容部と連通する拡張空間部を備える請求項１または２に記載のルアー。
【考案の詳細な説明】
【技術分野】
【０００１】
本考案は、魚釣りに使用するルアーに関する。
【背景技術】
【０００２】
魚釣りに使用する従来のルアーとして、対象とする魚の生息深度に合わせて沈降性を調整できるように、内部に錘を収容可能な構成が知られている。例えば、特許文献１には、図４に示すように、ルアー本体５１の内部に形成されたスペース５２に適量の錘５３を収容した後、このスペース５２をスクリュー蓋５４により密閉することができるルアー５０が開示されている。ルアー本体５１の前端にはライン取着用の金具５５が設けられており、金具５５の下方には、前方斜め下方に突出するリップ５６が設けられている。
【先行技術文献】
【特許文献】
【０００３】
【特許文献１】特開２００５−１００号公報
【考案の概要】
【考案が解決しようとする課題】
【０００４】
特許文献１に開示されたルアー５０は、リップ５６が水の抵抗を受けて生じるルアー本体５１の動きにより、錘５３がスペース５２内で不規則に移動してルアー本体５１の姿勢に偏りが生じ易く、水中でのルアー５０の動きが悪くなるおそれがあった。
【０００５】
そこで、本考案は、生き餌に近いリアリティのある動きを生じさせるルアーを提供することを目的とする。
【課題を解決するための手段】
【０００６】
本考案の前記目的は、先端側に半球状の頭部を有し後端側が徐々に縮径されるように軸線方向に延びる流線型のルアー本体と、前記ルアー本体の後部に設けられたフィンとを備え、前記ルアー本体は、前記軸線に沿って形成され先端側が開口する収容部を有する胴体と、前記収容部の開口を密閉するように前記胴体に着脱自在に装着される蓋体とを備え、前記収容部に１または複数の錘部材を収容できるように構成されており、前記フィンは、前記軸線と直交する回動軸を中心に回動可能に支持されているルアーにより達成される。
【０００７】
このルアーは、前記ルアー本体の軸線方向長さの、前記頭部の直径に対する比が、４〜５の範囲にあることが好ましい。
【０００８】
また、前記蓋体は、前記頭部の全体を含むように形成されることが好ましく、前記胴体に装着された状態で前記収容部と連通する拡張空間部を備えることが好ましい。
【考案の効果】
【０００９】
本考案によれば、生き餌に近いリアリティのある動きを生じさせるルアーを提供することができる。
【図面の簡単な説明】
【００１０】
【図１】本考案の一実施形態に係るルアーの平面図である。
【図２】図１に示すルアーの側面図であり、一部をＡ−Ａ断面図で示している。
【図３】図１に示すルアーの使用状態を説明するための図である。
【図４】従来のルアーの断面図である。
【考案を実施するための形態】
【００１１】
以下、本考案の一実施形態について添付図面を参照しつつ説明する。図１は、本考案の一実施形態に係るルアーの平面図である。また、図２は、図１に示すルアーの側面図であり、一部をＡ−Ａ断面図で示している。図１および図２に示すように、ルアー１は、ルアー本体１０とフィン２０とを備えている。
【００１２】
ルアー本体１０は、半球状に形成された頭部ｈを先端側に有し、後端側は軸線ＡＸに沿って徐々に縮径されるようにテーパ状とされており、全体として流線型に形成されている。ルアー本体１０は、先端側に開口する収容部１２ａを有する胴部１２と、収容部１２ａを密閉する蓋体１４とを備えている。
【００１３】
胴部１２は、先端面の中央から突出する円筒状の突部１２１を備えており、突部１２１の外周面に雄ねじ部１２１ａが形成されている。一方、蓋体１４には、胴部１２の先端面と当接する後端面の中央に形成された筒状凹部からなる拡張空間部１４ａが形成されており、この拡張空間部１４ａを構成する内周面に雌ねじ部１４ｂが形成されている。蓋体１４は、雌ねじ部１４ｂが胴部１２の雄ねじ部１２１ａと螺合することにより胴部１２に着脱自在に装着され、胴部１２に蓋体１４が装着された状態で、上記のようにルアー本体１０が流線型となる。蓋体１４は、本実施形態では頭部ｈの全体を含むように構成されており、蓋体１４を把持して胴部１２に容易に装着可能としているが、蓋体１４が頭部ｈの一部のみを含むように胴部１２と蓋体１４とを分割することも可能である。
【００１４】
収容部１２ａは、胴部１２の軸線ＡＸ方向に沿って円筒状に形成された空間であり、内部に１または複数の錘部材３０を移動可能に収容することができる。錘部材３０の材質や形状は特に限定されないが、例えば、金属材料により球状に形成することが好ましく、収容部１２ａ内でのスムーズな移動が可能になると共に、複数の錘部材３０同士の衝突によってラトル音を効果的に発生させることができ、魚を誘引することができる。収容部１２ａに収容する錘部材３０の個数は、対象となる魚の生息深度を考慮して適宜決めることが可能であり、大きさが異なる複数種類の錘部材３０を予め用意して、重量を微調整できるようにしてもよい。また、本実施形態のように、蓋体１４に収容部１２ａと連通する拡張空間部１４ａが形成される場合には、錘部材３０の可動範囲が大きくなり、後述するようにルアー１の大きなアクションを促すことができる。
【００１５】
頭部ｈの最先端である頂部には、ライン（釣糸）を取り付けるためのリング１６が設けられている。また、胴部１２の下側には、リングを介してフック（釣り針）１８が揺動可能に設けられている。
【００１６】
フィン２０は、胴部１２の後部に設けられている。フィン２０の形状は、本実施形態では平面視台形状に形成された平板状部材であり、胴部１２の後端部と干渉しないように先端側に三角形状の切欠２０ａが形成されている。胴部１２の後部には、軸線ＡＸと直交するように貫通する回動軸２２が設けられており、フィン２０の切欠２０ａの両側が回動軸２２の両端部にそれぞれ係合することで、フィン２０が図２の矢示方向に回動自在とされている。
【００１７】
このような構成を備えるルアー１によれば、ルアー本体１０が上記のような流線型とされているため、先端側に取り付けられたラインを引いてルアー１を泳動させた時に、ルアー１にスムーズな動きを生じさせることができる。より詳細には、図１に示すように、ルアー本体１０の軸線方向長さをｔとし、半球状の頭部ｈの直径をｄとしたときに、ｔのｄに対する比（ｔ／ｄ）が４〜５の範囲にあるときに、生き餌に近いルアーの運動性能を得ることができ、約４．５のときに運動性能を最適化することができる。
【００１８】
また、錘部材３０の軸線ＡＸに沿った移動方向と、フィン２０の回動方向とが、同一平面（すなわち、図２の断面）に存在するように構成されているため、これによってもルアー１の動きを良好にすることができる。例えば、図３（ａ）に示すように、リング１６に取り付けたライン１６１を水中で引いた際にフィン２０の後端が斜め下方を向くことで、ルアー本体１０の後端側が上向きとなる場合には、錘部材３０が自重により矢示のように先端側に移動するため、この上向きの動きを促すことができる。一方、図３（ｂ）に示すように、フィン２０の後端が斜め上方を向くことでルアー本体１０の後端側が下向きとなる場合には、錘部材３０が矢示のように後端側に移動するため、やはりこの下向きの動きを促すことができる。
【００１９】
このように、フィン２０の向きに応じたルアー本体１０の姿勢の変化と、これに伴う錘部材３０の移動による姿勢の変化とが、互いに打ち消し合うおそれがなく、両者の相乗効果によってルアー本体１０に躍動感のある大きなアクションを生じさせることができるので、上述した流線型のルアー本体１０の効果と相俟って、生き餌の動きに近いリアリティのある動きを得ることができる。フィン２０は、本実施形態ではルアー本体１０の水中での動きによって自由に回動するように構成しているが、フィン２０の傾斜角度をナットの締め付け等により所望の角度で固定できるように構成してもよい。
【符号の説明】
【００２０】
１  ルアー
１０  ルアー本体
１２  胴体
１２ａ  収容部
１４  蓋体
１４ａ  拡張空間部
２０  フィン
２２  回動軸
３０  錘部材
ＡＸ  軸線
ｈ  頭部
【図１】
0003169226.tif 000003
【図２】
0003169226.tif 000004
【図３】
0003169226.tif 000005
【図４】
0003169226.tif 000006